(57)【要約】本発明は、導電部に隣接して設けられる絶縁部の視認（骨見え）を容易に抑制できる導電性パターン、導電性パターンの製造方法、タッチパネル及び液晶表示装置の提供を課題とし、その課題は、基材１上に設けられた導電部３と該導電部３に接する絶縁部４とを有する導電性パターン２であり、該導電部３は、導電性を有する２本１組の細線３１ａ、３１ｂからなる複数組の平行線３２により構成され、前記複数組の平行線３２を構成する２本１組の細線３１ａ、３１ｂのうち前記絶縁部４と接する側の該細線３１ａ、３１ｂの端部同士は、円弧状に形成される接続部３３により接続されることで解決される。
2016148036.tif 000002
【特許請求の範囲】
【請求項１】
基材上に設けられた導電部と該導電部に接する絶縁部とを有する導電性パターンであり、
該導電部は、導電性を有する２本１組の細線からなる複数組の平行線により構成され、
前記複数組の平行線を構成する２本１組の細線のうち前記絶縁部と接する側の該細線の端部同士は、円弧状に形成される接続部により接続される導電性パターン。
【請求項２】
前記複数の接続部の円弧状の形状は、互いの径をランダムに異ならせている請求項１記載の導電性パターン。
【請求項３】
前記絶縁部に、色相及び屈折率の何れか又は両方が前記導電部と略同一であるダミーパターンが形成されている請求項１又は２記載の導電性パターン。
【請求項４】
前記絶縁部に、前記導電部と電気的に接続されていない中空楕円状のダミー導電性パターンを有する請求項１〜３の何れかに記載の導電性パターン。
【請求項５】
前記絶縁部は、非直線形状である請求項１〜４の何れかに記載の導電性パターン。
【請求項６】
前記絶縁部の非直線形状は、所定の蛇行パターンを周期的に繰り返した形状である請求項５記載の導電性パターン。
【請求項７】
基材上に設けられた導電部と該導電部に接する絶縁部とを有する導電性パターンであり、
前記導電部は、導電性を有する２本１組の細線からなる複数組の平行線により構成され、
前記複数組の平行線を構成する２本１組の細線のうち前記絶縁部と接する側の該細線の端部同士は、円弧状に形成される接続部により接続される導電性パターンの製造方法であって、
インクジェット法により前記基材上に付与された導電性材料を含む複数の液滴を合一させてライン状液体を形成し、
該ライン状液体を乾燥させる際に、該ライン状液体の縁に前記導電性材料を選択的に堆積させることによって、導電性を有する２本１組の細線からなる前記平行線と、該平行線を構成する前記２本１組の細線の端部同士を円弧状に接続する前記接続部とを形成する導電性パターンの製造方法。
【請求項８】
前記ライン状液体を形成する際に、該ライン状液体の端部を形成するために付与される液滴量を、該ライン状液体の中央部を形成するために付与される液滴量よりも多くする請求項７記載の導電性パターンの製造方法。
【請求項９】
色相及び屈折率の何れか又は両方が前記導電部と略同一であるパターンを形成し得るダミーインクをインクジェット法により前記基材上に付与して、前記絶縁部にダミーパターンを形成する請求項７又は８記載の導電性パターンの製造方法。
【請求項１０】
前記導電部の一部を含む基材上に、インクジェット法により更なる絶縁部をパターニングし、
次いで、前記更なる絶縁部により被覆されていない前記導電部にメッキ処理を施す請求項７〜９の何れかに記載の導電性パターンの製造方法。
【請求項１１】
請求項１〜６の何れかに記載の導電性パターンを備えたタッチパネル。
【請求項１２】
請求項１〜６の何れかに記載の導電性パターンを備えた液晶表示装置。
【発明の詳細な説明】
【技術分野】
【０００１】
本発明は、導電性パターン、導電性パターンの製造方法、タッチパネル及び液晶表示装置に関し、詳しくは、導電部に隣接して設けられる絶縁部の視認（骨見え）を抑制できる導電性パターン、導電性パターンの製造方法、タッチパネル及び液晶表示装置に関する。
【背景技術】
【０００２】
透明導電膜をタッチパネルに利用する際には、配線を敷くための絶縁部（非導電部）が必要になる。【０００３】
タッチパネルを目視した際に、パターニングされた導電部（透明導電膜）が視認されてしまう所謂「骨見え」を抑制する技術として、特許文献１、２がある。
【先行技術文献】
【特許文献】
【０００４】
【特許文献１】特開２００３−２０２５５２号公報
【特許文献２】特開２０１３−６５３０５号公報
【発明の概要】
【発明が解決しようとする課題】
【０００５】
特許文献１、２の技術は、フォトリソグラフィーによりパターニングされたＩＴＯ（Indium Tin Oxide）からなる透明導電膜の骨見えを防止するために、該透明導電膜に対して積層される絶縁膜等の屈折率を調整するものであるため、絶縁層の組成が制約を受け、例えば汎用性などの観点で改善の余地がある。【０００６】
これに対して、本発明者は、導電部を、導電性を有する２本１組の細線からなる複数組の平行線により構成すると共に、該導電部が絶縁部と接する端部に特定の形状を付与することにより、骨見えを容易に抑制できることを見出した。【０００７】
そこで本発明の課題は、導電部に隣接して設けられる絶縁部の視認（骨見え）を容易に抑制できる導電性パターン、導電性パターンの製造方法、タッチパネル及び液晶表示装置を提供することにある。【０００８】
また本発明の他の課題は、以下の記載によって明らかとなる。
【課題を解決するための手段】
【０００９】
上記課題は、以下の各発明によって解決される。【００１０】
１．
基材上に設けられた導電部と該導電部に接する絶縁部とを有する導電性パターンであり、
該導電部は、導電性を有する２本１組の細線からなる複数組の平行線により構成され、
前記複数組の平行線を構成する２本１組の細線のうち前記絶縁部と接する側の該細線の端部同士は、円弧状に形成される接続部により接続される導電性パターン。
２．
前記複数の接続部の円弧状の形状は、互いの径をランダムに異ならせている前記１記載の導電性パターン。
３．
前記絶縁部に、色相及び屈折率の何れか又は両方が前記導電部と略同一であるダミーパターンが形成されている前記１又は２記載の導電性パターン。
４．
前記絶縁部に、前記導電部と電気的に接続されていない中空楕円状のダミー導電性パターンを有する前記１〜３の何れかに記載の導電性パターン。
５．
前記絶縁部は、非直線形状である前記１〜４の何れかに記載の導電性パターン。
６．
前記絶縁部の非直線形状は、所定の蛇行パターンを周期的に繰り返した形状である前記５記載の導電性パターン。
７．
基材上に設けられた導電部と該導電部に接する絶縁部とを有する導電性パターンであり、
前記導電部は、導電性を有する２本１組の細線からなる複数組の平行線により構成され、
前記複数組の平行線を構成する２本１組の細線のうち前記絶縁部と接する側の該細線の端部同士は、円弧状に形成される接続部により接続される導電性パターンの製造方法であって、
インクジェット法により前記基材上に付与された導電性材料を含む複数の液滴を合一させてライン状液体を形成し、
該ライン状液体を乾燥させる際に、該ライン状液体の縁に前記導電性材料を選択的に堆積させることによって、導電性を有する２本１組の細線からなる前記平行線と、該平行線を構成する前記２本１組の細線の端部同士を円弧状に接続する前記接続部とを形成する導電性パターンの製造方法。
８．
前記ライン状液体を形成する際に、該ライン状液体の端部を形成するために付与される液滴量を、該ライン状液体の中央部を形成するために付与される液滴量よりも多くする前記７記載の導電性パターンの製造方法。
９．
色相及び屈折率の何れか又は両方が前記導電部と略同一であるパターンを形成し得るダミーインクをインクジェット法により前記基材上に付与して、前記絶縁部にダミーパターンを形成する前記７又は８記載の導電性パターンの製造方法。
１０．
前記導電部の一部を含む基材上に、インクジェット法により更なる絶縁部をパターニングし、次いで、前記更なる絶縁部により被覆されていない前記導電部にメッキ処理を施す前記７〜９の何れかに記載の導電性パターンの製造方法。
１１．
前記１〜６の何れかに記載の導電性パターンを備えたタッチパネル。
１２．
前記１〜６の何れかに記載の導電性パターンを備えた液晶表示装置。
【発明の効果】
【００１１】
本発明によれば、導電部に隣接して設けられる絶縁部の視認（骨見え）を容易に抑制できる導電性パターン、導電性パターンの製造方法、タッチパネル及び液晶表示装置を提供することができる。
【図面の簡単な説明】
【００１２】
【図１】導電性パターンの一例を概念的に説明する斜視図
【図２】本発明の導電性パターンの第１の実施態様を概念的に説明する平面図
【図３】本発明の導電性パターンの第２の実施態様を概念的に説明する平面図
【図４】本発明の導電性パターンの第３の実施態様を概念的に説明する平面図
【図５】本発明の導電性パターンの第４の実施態様を概念的に説明する平面図
【図６】本発明の導電性パターンの第５の実施態様を概念的に説明する平面図
【図７】本発明の導電性パターンの第６の実施態様を概念的に説明する平面図
【図８】本発明の導電性パターンの第７の実施態様を概念的に説明する平面図
【図９】基材上に形成されたライン状液体から導電性を有する２本１組の細線からなる平行線が形成される様子を概念的に説明する図
【図１０】本発明の導電性パターンの第８の実施態様を概念的に説明する平面図
【図１１】基材上に形成された平行線の一例を示す一部切り欠き斜視図
【図１２】導電部の構成例を概念的に説明する平面図
【図１３】本発明の導電性パターンの第９の実施態様を概念的に説明する平面図
【図１４】実施例１で得られた導電性パターンの光学顕微鏡写真
【図１５】実施例４で得られた導電性パターンの光学顕微鏡写真
【図１６】実施例５で得られた導電性パターンの光学顕微鏡写真
【図１７】実施例６で得られた導電性パターンの光学顕微鏡写真
【図１８】実施例７で得られた導電性パターンの光学顕微鏡写真
【図１９】実施例８で得られた導電性パターンの光学顕微鏡写真
【発明を実施するための形態】
【００１３】
以下に、本発明を実施するための形態について説明する。
【００１４】
本発明の導電性パターンは、基材上に設けられた導電部と該導電部に接する絶縁部により構成することができる。ここで、導電部は、導電性を有する２本１組の細線からなる複数組の平行線により構成することができる。
【００１５】
本発明の導電性パターンは、前記複数組の平行線を構成する２本１組の細線のうち前記絶縁部と接する側の該細線の端部同士は、円弧状に形成される接続部により接続されることを一つの特徴とする。
【００１６】
これにより、導電部に接して（隣接して）設けられる絶縁部の視認（骨見え）を容易に抑制できる効果が得られる。かかる効果が奏される理由は必ずしも明らかではないが、円弧状に形成された接続部によって、導電部を構成する平行線が、見た目上、絶縁部側にも延設されているように見える視覚効果が奏され、導電部に隣接して設けられる絶縁部の骨見えが抑制されていることなどが推定される。接続部を有しない場合は、導電部から絶縁部に急激に切り替わることになるため、骨見えの抑制効果が得られなくなる。
【００１７】
以下に、図面を参照して本発明を実施するための形態について更に詳しく説明する。
【００１８】
図１は、タッチパネル等に用いられる導電性パターンの一例を概念的に説明する斜視図である。図１において、１は基材であり、２は基材１上に設けられた導電性パターンである。
【００１９】
本発明では、導電部に隣接して設けられる絶縁部の視認（骨見え）を容易に抑制できる導電性パターンが実現できればよいので、図１のように基材１上に複数の導電部３の間に帯状の絶縁部４が画定できる態様に限定されず、画定できない態様でもよく、また基材１として絶縁体を用いることにより導電部３が設けられていない領域を絶縁部４とする態様など様々な態様を含む。
【００２０】
具体的には図１の破線で囲まれた領域の拡大した実施態様に関して、図２〜６に基づいて説明する。
【００２１】
また本発明の導電性パターンは、図１の破線で囲まれた領域の拡大した実施態様ではなく、且つ導電部３と絶縁部４が明確に画定できない態様も含むことから、かかる実施態様を図７〜図８に基づいて説明する。
【００２２】
以下、図２に基づき本発明の導電性パターンの第１の実施態様を説明する。
【００２３】
図２に示すように、導電部３は、導電性を有する２本１組の互いに平行な細線（以下、線分ともいう）３１ａ、３１ｂからなる複数組の平行線３２により構成されている。即ち、導電部３は、基材１上に設けられた導電性を有する細線３１ａ、３１ｂの集合体によって構成されている。ここでは、導電部３は、平行線３２を複数組並設することによって、ストライプ状に配置された細線３１ａ、３１ｂによって構成されている例を示す。
【００２４】
このように、導電部３を細線３１ａ、３１ｂの集合体により構成することで、導電性材料自体が透明性を有しない場合であっても、該導電部３を通して背後の画像を透視できるようになり、導電部３に実質的な透明性を付与することができる。従って、導電部３は、透明導電膜あるいは透明電極膜等としても機能する。また、導電部３を細線３１ａ、３１ｂの集合体により構成することで、導電部３をベタ膜により構成する場合と比較して、材料コストを削減できる。
【００２５】
本発明において、透明性を更に向上する観点から、細線３１ａ、３１ｂの各々の線幅は５０μｍ以下であることが好ましく、２０μｍ以下であることが更に好ましく、１０μｍ以下であることが最も好ましい。
【００２６】
絶縁部４は、帯状に形成することができる。図示の例では、絶縁部４は、２つの導電部３の間に帯状に形成されている。絶縁部４の帯幅Ｂは、格別限定されないが、例えば、１μｍ〜５０μｍの範囲であることが好ましい。絶縁部４の帯幅Ｂというのは、帯状に形成された絶縁部４の長さ方向に対して直交する方向における当該絶縁部４の幅である。
【００２７】
絶縁部４は、導電部３を構成する平行線３２の形成方向と交差する方向に延びる部分を少なくとも有することができる。図示の例では、帯状に形成された絶縁部４が、平行線３２の形成方向と交差する１方向に延びることにより、絶縁部４が全体として直線形状を呈している。
【００２８】
導電部３が絶縁部４と接する側には、導電部３の平行線３２を構成する２本１組の細線３１ａ、３１ｂの端部が配置されている。そして、導電部３が絶縁部４と接する端部には、各々の平行線３２を構成する２本１組の細線３１ａ、３１ｂの端部同士を円弧状に接続する接続部３３が設けられている。
【００２９】
円弧状というのは、円や楕円の周の一部に相当する形状ということができる。接続部３３は、円弧状に構成された部分を含んで構成することができる。円弧状に構成された部分は、図示の例のように、絶縁部４側に向けて膨らむように形成することができる。細線３１ａ、３１ｂの端部同士は、接続部３３により、絶縁部４側に向けて膨らむ曲線を描くように互いに接続されている。
【００３０】
導電部３が絶縁部４と接する端部に沿って、複数の円弧状の接続部３３が配置されている。
【００３１】
以上の構成を備える導電性パターン２は、導電部３に隣接して設けられる絶縁部４の骨見えを容易に抑制できる効果が得られる。
【００３２】
接続部３３は、平行線３２を構成する細線３１ａ、３１ｂと同じ材質により構成されていることが好ましい。
【００３３】
以上の説明では、互いに径が同じである複数の円弧状の接続部３３を、導電部３が絶縁部４と接する端部に沿って配置する場合について示したが、これに限定されるものではない。
【００３４】
例えば、互いに径の異なる複数の円弧状の接続部３３を、導電部３が絶縁部４と接する端部に沿って配置することも本発明の好ましい実施態様である。以下、かかる実施態様を第２の実施態様として図３に基づき説明する。
【００３５】
図示の例では、径がαである円弧状の接続部３３αと、径がβである円弧状の接続部３３βとを、導電部３が絶縁部４と接する端部に沿って配置している。
【００３６】
ここで、円弧状の接続部の径とは、当該接続部が付与される平行線の形成方向と直交する方向における当該接続部の最大幅である。図示の例では、平行線を構成する細線間の距離と、当該平行線に付与される円弧状の接続部の径とが等しい場合を示しているが、これらは異なってもよい。
【００３７】
径がαである円弧状の接続部３３αと、径がβである円弧状の接続部３３βの配置の態様は格別限定されない。例えば、導電部３が絶縁部４と接する端部に沿って、接続部３３αと接続部３３βとが、１又は複数から選ばれる所定数ごとに交互に配置されるようにしてもよいが、特に好ましいのは、図示の例のように、導電部３が絶縁部４と接する端部に沿って、接続部３３αと接続部３３βとが、ランダムに配置されることである。ランダムというのは、規則性を有しないことということができる。
【００３８】
このように、互いに径の異なる複数の円弧状の接続部３３α、３３βを、導電部３が絶縁部４と接する端部に沿ってランダムに配置することにより、絶縁部４の骨見えを更に抑制できる効果が得られる。
【００３９】
次に、本発明において、絶縁部には、導電部と色相及び又は屈折率が近似するダミーパターンが形成されていることも好ましいことである。以下、かかるダミーパターンを設ける態様を本発明の導電性パターンの第３の実施態様として、図４に基づき説明する。
【００４０】
図４に示す例において、絶縁部４には、ダミーパターン４１が形成されている。ダミーパターン４１は、色相及び屈折率の何れか又は両方が、導電部３と略同一であることが好ましい。ダミーパターン４１は、色相及び屈折率の両方が、導電部３と略同一であることが特に好ましい。
【００４１】
ダミーパターン４１と導電部３の色相が略同一というのは、両者の色相の差（ΔＥａｂ）が１０以下であることである。また、ダミーパターン４１と導電部３の屈折率が略同一というのは、両者の屈折率の差が０．５以下であることである。導電部３の色相、屈折率は、導電部３を構成する細線３１ａ、３１ｂの色相、屈折率をいう。色相は、Ｘ−ｒｉｔｅ社製「ＳＰ−６０」で測定した値である。屈折率は、島津社製「ＫＰＲ−３０」で測定した値である。
【００４２】
また、ダミーパターン４１は、色相及び屈折率の何れか又は両方が、導電部３と近似するものであることも好ましい。ダミーパターン４１の色相が導電部３と近似するというのは、ダミーパターン４１が設けられていない絶縁部４の色相と比較して、ダミーパターン４１の色相の方が導電部３と近似していることである。また、ダミーパターン４１の屈折率が導電部３と近似するというのは、ダミーパターン４１が設けられていない絶縁部４の屈折率と比較して、ダミーパターン４１の屈折率の方が導電部３と近似していることである。なお、ダミーパターン４１が設けられていない絶縁部４の色相、屈折率というのは、絶縁部４の表面を構成している材料の色相、屈折率をいう。
【００４３】
ダミーパターン４１は、絶縁部４における何れの位置に設けられてもよいが、導電部３を構成する平行線３２の延長線上に設けられることが好ましい。特に、図示の例のように、２つの導電部３の間に帯状の絶縁部４が形成されており、各々のダミーパターン４１は、一方の導電部３を構成する平行線３２の延長線上であり、且つ、他方の導電部３を構成する平行線３２の延長線上に設けられている。
【００４４】
ダミーパターン４１の形状は格別限定されないが、例えば、円形、楕円形等のように輪郭が曲線を含む形状であることが好ましい。
【００４５】
ダミーパターン４１の形成方法は、格別限定されないが、色相及び屈折率の何れか又は両方が導電部３と略同一あるいは近似するパターンを形成し得るダミーインクを、インクジェット法により基材１上に付与して形成することが好ましい。インクの乾燥時にコーヒーステイン現象を生起させることによって、ダミーパターン４１に中空形状を付与することも好ましいことである。
【００４６】
次に、ダミーパターン４１は、絶縁性であっても、導電性であってもよいが、導電性を有する場合は、導電部と電気的に接続されていないことが求められる。以下、第４の実施態様である導電性を有するダミーパターン（ダミー導電性パターンともいう）について、図５に基づいて、以下に詳しく説明する。
【００４７】
図５に示す例において、絶縁部４には、ダミー導電性パターン４２が形成されている。ダミー導電性パターン４２は、導電部３と接触しないように設けられている。即ち、ダミー導電性パターン４２は、導電部と電気的に接続されないように設けられている。
【００４８】
ダミー導電性パターン４２は、絶縁部４における何れの位置に設けられてもよいが、導電部３を構成する平行線３２の延長線上に設けられることが好ましい。特に、図示の例のように、２つの導電部３の間に帯状の絶縁部４が形成されており、各々のダミー導電性パターン４２は、一方の導電部３を構成する平行線３２の延長線上であり、且つ、他方の導電部３を構成する平行線３２の延長線上に設けられている。
【００４９】
ダミー導電性パターン４２の形状は格別限定されないが、例えば、円形、楕円形等のように輪郭が曲線を含む形状であることが好ましい。更に、ダミー導電性パターン４２は、その輪郭部に対して中央部側の導電性材料の単位面積当たりの付与量が比較的小さくなる中空状であることが特に好ましい。最も好ましいのは、図示の例のように、ダミー導電性パターン４２が中空楕円状に形成されていることである。
【００５０】
ダミー導電性パターン４２として、色相及び屈折率の何れか又は両方が、導電部３と近似するものを設けることは好ましいことである。ダミー導電性パターン４２は、色相及び屈折率の両方が、導電部３と近似するように設けられることが特に好ましい。最も好ましいのは、ダミー導電性パターン４２の色相及び屈折率の何れか又は両方が、導電部３と同等となるように設けられることである。
【００５１】
ダミー導電性パターン４２の形成方法は、格別限定されないが、例えば、導電部３を形成する方法と同様の方法を用いて形成することが好ましい。導電部３を、導電性材料を含むインクを用いたインクジェット法により形成する場合は、同様のインクを用いてダミー導電性パターン４２を形成することも好ましいことである。例えば、インクジェット法により、導電部３とダミー導電性パターン４２とを同一のインクを用いて形成することは、特に好ましいことである。インクの乾燥時にコーヒーステイン現象を生起させることによって、ダミー導電性パターン４２に、中空楕円状のような中空形状を容易に付与することができる。
【００５２】
以上の図２〜図５に基づく説明では、導電部３を構成する複数の平行線３２同士が互いに平行に、ストライプ状に配置される場合について示したが、これに限定されるものではない。導電部３は、例えば、互いに形成方向の異なる複数の平行線３２により構成されてもよい。以下に、導電部３を互いに形成方向の異なる複数の平行線３２により構成する態様について、本発明の導電性パターンの第５の実施態様として、図６に基づいて説明する。
【００５３】
図６に基づく第５の実施態様において、導電部３は、第１の方向に沿って形成された複数の第１の平行線３２と、第１の方向と交差する第２の方向に沿って形成された複数の第２の平行線３２とにより構成されている。これら複数の平行線３２が互いに交差することで、メッシュ状（格子状ともいう）になっている。
【００５４】
このような場合、図示するように、第１の平行線３２及び第２の平行線３２共に、これら平行線３２を構成する２本１組の細線３１ａ、３１ｂは、絶縁部４と接する側の端部同士が、接続部３３によって円弧状に接続されることが好ましい。
【００５５】
図示の例において、第１の平行線３２と第２の平行線３２との交差角度は９０°であるが、これに限定されず、任意の交差角度を設定することができる。
【００５６】
以上の図２〜図６に基づく説明では、絶縁部が直線形状である場合について示したが、これに限定されるものではない。例えば、絶縁部に非直線形状を付与することも好ましいことである。以下、絶縁部に非直線形状を付与する態様について、本発明の導電性パターンの第６の実施態様として、図７に基づいて説明する。
【００５７】
図７に基づく第６の実施態様は、図１の破線で囲まれた領域の拡大した実施態様ではなく、且つ導電部３と絶縁部４が明確に画定できない態様に属し、前述のように、絶縁部に非直線形状を付与する態様に含まれる。
【００５８】
図７に示すように、絶縁部４は非直線形状に設けられている。非接触状態で互いに噛み合うように配置された２つの導電部３の間に、非直線形状の絶縁部４が形成されている。
【００５９】
各々の導電部３は、絶縁部４に接する端部側において、該導電部３を構成する平行線３２のうちの一部の平行線３２が絶縁部４側に突出するように設けられている。
【００６０】
図示の例では、１つの平行線３２おきに、絶縁部４側に突出する１つの平行線３２が絶縁部４側に突出するようにしているが、これに限定されるものではない。例えば、１又は複数の平行線３２おきに、絶縁部４側に突出する１又は複数の平行線３２が絶縁部４側に突出するようにすることができる。各々の導電部３の絶縁部４側に突出する平行線３２同士を非接触状態で互いに噛み合うように配置することで、これら２つの導電部３の間に、非直線形状の絶縁部４を形成することができる。
【００６１】
絶縁部４を非直線形状に設ける場合、その形状は、ランダムな形状であってもよいが、周期的な規則性を有する形状であることが好ましい。
【００６２】
図示の例では、２つの導電部３の間に帯状に形成された絶縁部４は、蛇行するように設けられている。より具体的には、絶縁部４は、所定の蛇行パターンを周期的に繰り返した形状を有している。
【００６３】
絶縁部４が所定の蛇行パターンを周期的に繰り返した形状を有する場合において、絶縁部４の蛇行の振幅（図中Ａ）は、格別限定されないが、例えば、３００μｍ〜２０００μｍの範囲であることが好ましい。絶縁部４の蛇行の振幅というのは、絶縁部４の全体としての形成方向（図中、左右方向）に対して直交する方向（図中、上下方向）における蛇行経路の内側の幅である。
【００６４】
蛇行パターンの繰り返し単位の長さ（１周期長さともいう）は、例えば、平行線の配列ピッチの整数倍とすることができる。ここで、蛇行パターンの繰り返し単位の長さは、蛇行パターンの繰り返し方向に沿う長さである。また、ここで、平行線の配列ピッチというのは、蛇行パターンの繰り返し方向に沿う配列ピッチである。図示の例では、蛇行パターンの繰り返し単位の長さを、平行線の配列ピッチの２倍に設定している。
【００６５】
以上の説明では、絶縁部を非直線形状に設ける一例として、絶縁部に所定の蛇行パターンを周期的に繰り返した形状を付与する場合について示したが、これに限定されるものではない。例えば、周期性を有しない蛇行形状とすることも好ましいことである。
【００６６】
以下、周期性を有しない蛇行形状とする態様に関して、図８に基づき、本発明の導電性パターンの第７の実施態様として説明する。
【００６７】
図８に示すように、絶縁部４は非直線形状に設けられている。即ち、２つの導電部３の間に帯状に形成された絶縁部４は、蛇行するように設けられている。ここで、絶縁部４は、周期性を有しない蛇行形状を有している。
【００６８】
絶縁部４が周期性を有しない蛇行形状を有する場合において、絶縁部４の蛇行の振幅（図中Ａ）は、格別限定されないが、例えば、５００μｍ〜５０００μｍの範囲であることが好ましい。
【００６９】
以下に、導電性パターンの製造方法を説明すると共に、導電性パターンについて更に詳しく説明する。
【００７０】
基材上に、導電性パターンを形成する方法は、格別限定されず、例えば、印刷法や、フォトリソグラフィー法などを例示できるが、以下に説明する方法を特に好ましく用いることができる。
【００７１】
まず、インクジェット法により基材上に導電性材料を含む複数の液滴を付与し、これら複数の液滴同士を基材上で合一させて、ライン状液体を形成する。ライン状液体は、長さ方向に複数の液滴を合一させたものということができる。また、ライン状液体は、長さ方向に複数の液滴を合一させると共に、幅方向にも複数の液滴を合一させて、その形成幅を大としたものであってもよい。
【００７２】
次いで、該ライン状液体を乾燥させる際に、該ライン状液体の縁に前記導電性材料を選択的に堆積させることによって、導電性を有する２本１組の細線からなる平行線を形成することができる。
【００７３】
ライン状液体を乾燥させる際に、該ライン状液体の縁に前記導電性材料を選択的に堆積させるために、コーヒーステイン現象を好適に利用することができる。
【００７４】
図９は、基材上に形成されたライン状液体から導電性を有する２本１組の細線からなる平行線が形成される様子を概念的に説明する図である。
【００７５】
図９（ａ）に示すように、基材１上に、導電性材料を含むライン状液体５を付与する。
【００７６】
基材１上へのライン状液体５の付与は、上述したようにインクジェット法を用いて行うことが好ましい。具体的には、不図示のインクジェット装置が備えるインクジェットヘッド（液滴吐出装置ともいう）を基材１に対して相対移動させながら、液滴吐出装置から導電性材料を含む液滴を複数吐出し、吐出された液滴が基材１上で合一することで、導電性材料を含むライン状液体４を形成することができる。５１ａはライン状液体５の長さ方向に沿う一方の縁であり、５１ｂは他方の縁である。
【００７７】
かかるライン状液体４を蒸発させ、乾燥させる際に、コーヒーステイン現象を生起させて、ライン状液体５の縁５１ａ、５１ｂに導電性材料を選択的に堆積させることができる。
【００７８】
即ち、基材１上において、ライン状液体５の乾燥は、該ライン状液体５の幅方向の中心部５１ｃと比べ縁５１ａ、５１ｂにおいて速いため、乾燥の進行により、まず、ライン状液体５の縁５１ａ、５１ｂに導電性材料の局所的な堆積が起こる。この堆積した導電性材料によりライン状液体５の縁５１ａ、５１ｂが固定化された状態となり、それ以降の乾燥に伴うライン状液体５の幅方向の収縮が抑制される。ライン状液体５中の液体は、縁５１ａ、５１ｂで蒸発により失った分の液体を補う様に中心部５１ｃから縁５１ａ、５１ｂに向かう流動を形成する。この流動により、更なる導電性材料が縁５１ａ、５１ｂに運ばれ、該縁５１ａ、５１ｂに堆積する。この流動は、乾燥に伴うライン状液体５の接触線（縁５１ａ、５１ｂ）の固定化と、ライン状液体５の中心部５１ｃと縁５１ａ、５１ｂの蒸発量の差に起因するため、ライン状液体５中の導電性材料濃度、ライン状液体５と基材１の接触角、ライン状液体５の量、基材１の加熱温度、ライン状液体５の配置密度、または温度、湿度、気圧などの環境因子等の条件に影響され得る。そのため、これらの１又は２以上の条件を、ライン状液体５の縁５１ａ、５１ｂに導電性材料を選択的に堆積させる流動状態が好適に形成されるように調整することも好ましいことである。
【００７９】
その結果、図９（ｂ）に示すように、基材１上に、導電性を有する２本１組の細線３１ａ、３１ｂからなる平行線３２が形成される。平行線３２を構成する細線３１ａ、３１ｂは、ライン状液体５の縁５１ａ、５１ｂに対応する位置に形成される。このような平行線を複数組配置することによって、導電部を構成することができる。
【００８０】
更に、上記のような方法を用いれば、平行線３２の形成と共に、該平行線３２を構成する細線３１ａ、３１ｂの端部同士を円弧状に接続する接続部３３も好適に形成することができる。コーヒーステイン現象による導電性材料の選択的な堆積は、ライン状液体５の長さ方向に沿う縁５１ａ、５１ｂだけでなく、ライン状液体５の端部の縁５１ｄにおいても生じるため、端部の縁５１ｄに対応する位置に、導電性材料を含む接続部３３を容易に形成することができる。
【００８１】
上述したコーヒーステイン現象を利用して図６に示したような互いに交差する平行線を形成する場合は、まず、第１の方向に沿って第１のライン状液体を形成し、これを乾燥させて第１の方向に沿う第１の平行線を形成し、次いで、第１の平行線を跨ぐように、第１の方向に対して交差する第２の方向に沿って第２のライン状液体を形成し、これを乾燥させて第２の方向に沿う第２の平行線を形成することが好ましい。
【００８２】
ライン状液体５を形成する際には、該ライン状液体５の端部を形成するために付与される液滴量を、該ライン状液体５の中央部を形成するために付与される液滴量よりも多くすることも好ましいことである。
【００８３】
通常、ライン状液体５の長さ方向に沿う縁５１ａ、５１ｂと比較して、ライン状液体５の端部の縁５１ｄは、導電性材料の堆積量が比較的少なくなり易い。その結果、ライン状液体５の長さ方向に沿う縁５１ａ、５１ｂと、ライン状液体５の端部の縁５１ｄとで、導電性材料の付与量に差が生じやすい。これに対して、上記のようにライン状液体５の端部に付与される液滴量を相対的に多くすることで、ライン状液体５の長さ方向に沿う縁５１ａ、５１ｂと、ライン状液体５の端部の縁５１ｄとで、導電性材料の付与量の差を減じることができ、より好ましくは差を無くすことができる。これにより、平行線３２の中央部側と端部側（接続部３３側）とが均等に視認される効果が得られ、骨見えを更に抑制することができる。
【００８４】
ライン状液体５の端部を形成するために付与される液滴量を、該ライン状液体５の中央部を形成するために付与される液滴量よりも多くする場合、該端部を形成するために付与される液滴量の、該中央部を形成するために付与される液滴量に対する倍率は、骨見えの抑制効果が大となるように調整されることが好ましく、例えば、１．２倍〜３倍の範囲に調整されることが好ましい。
【００８５】
次に、本発明の導電性パターンの他の態様を図１０に基づいて説明する。図１０は、本発明の導電性パターンの第８の実施態様を概念的に説明する平面図である。
【００８６】
図示の例では、平行線３２を構成する細線３１ａ、３１ｂ間の距離よりも、当該平行線３２に付与される円弧状の接続部３３の径を大きく設けている。
【００８７】
ライン状液体の端部を形成するために付与される液滴量を該ライン状液体の中央部を形成するために付与される液滴量よりも多くすることが好ましいことは上述したが、これにより、形成される円弧状の接続部３３の径が大きくなっている。かかるパターンは、ライン状液体の端部を形成するために付与される液滴量を該ライン状液体の中央部を形成するために付与される液滴量よりも多くしていることにより、平行線３２の中央部側と端部側（接続部３３側）とが均等に視認される効果が得られ、骨見えを更に抑制することができる。
【００８８】
ライン状液体に含有される導電性材料としては、例えば、導電性微粒子、導電性ポリマー等を好ましく例示できる。
【００８９】
導電性微粒子としては、格別限定されないが、Ａｕ、Ｐｔ、Ａｇ、Ｃｕ、Ｎｉ、Ｃｒ、Ｒｈ、Ｐｄ、Ｚｎ、Ｃｏ、Ｍｏ、Ｒｕ、Ｗ、Ｏｓ、Ｉｒ、Ｆｅ、Ｍｎ、Ｇｅ、Ｓｎ、Ｇａ、Ｉｎ等の微粒子を好ましく例示でき、中でも、Ａｕ、Ａｇ、Ｃｕのような金属微粒子を用いると、電気抵抗が低く、かつ腐食に強い回路パターンを形成することができるので、より好ましい。コスト及び安定性の観点から、Ａｇを含む金属微粒子が最も好ましい。これらの金属微粒子の平均粒子径は、好ましくは１〜１００ｎｍの範囲、より好ましくは３〜５０ｎｍの範囲とされる。
【００９０】
また、導電性微粒子として、カーボン微粒子を用いることも好ましい。カーボン微粒子としては、グラファイト微粒子、カーボンナノチューブ、フラーレン等を好ましく例示できる。
【００９１】
導電性ポリマーとしては、格別限定されないが、π共役系導電性高分子を好ましく挙げることができる。
【００９２】
π共役系導電性高分子としては、特に限定されず、ポリチオフェン類、ポリピロール類、ポリインドール類、ポリカルバゾール類、ポリアニリン類、ポリアセチレン類、ポリフラン類、ポリパラフェニレン類、ポリパラフェニレンビニレン類、ポリパラフェニレンサルファイド類、ポリアズレン類、ポリイソチアナフテン類、ポリチアジル類等の鎖状導電性ポリマーを利用することができる。中でも、高い導電性が得られる点で、ポリチオフェン類やポリアニリン類が好ましい。ポリエチレンジオキシチオフェンであることが最も好ましい。
【００９３】
導電性ポリマーは、より好ましくは、上述したπ共役系導電性高分子とポリアニオンとを含んで成ることである。こうした導電性ポリマーは、π共役系導電性高分子を形成する前駆体モノマーを、適切な酸化剤と酸化触媒と、ポリアニオンの存在下で化学酸化重合することによって容易に製造できる。
【００９４】
ポリアニオンは、置換若しくは未置換のポリアルキレン、置換若しくは未置換のポリアルケニレン、置換若しくは未置換のポリイミド、置換若しくは未置換のポリアミド、置換若しくは未置換のポリエステル及びこれらの共重合体であって、アニオン基を有する構成単位とアニオン基を有さない構成単位とからなるものである。
【００９５】
このポリアニオンは、π共役系導電性高分子を溶媒に可溶化させる可溶化高分子である。また、ポリアニオンのアニオン基は、π共役系導電性高分子に対するドーパントとして機能して、π共役系導電性高分子の導電性と耐熱性を向上させる。
【００９６】
ポリアニオンのアニオン基としては、π共役系導電性高分子への化学酸化ドープが起こりうる官能基であればよいが、中でも、製造の容易さ及び安定性の観点からは、一置換硫酸エステル基、一置換リン酸エステル基、リン酸基、カルボキシ基、スルホ基等が好ましい。さらに、官能基のπ共役系導電性高分子へのドープ効果の観点より、スルホ基、一置換硫酸エステル基、カルボキシ基がより好ましい。
【００９７】
ポリアニオンの具体例としては、ポリビニルスルホン酸、ポリスチレンスルホン酸、ポリアリルスルホン酸、ポリアクリル酸エチルスルホン酸、ポリアクリル酸ブチルスルホン酸、ポリ−２−アクリルアミド−２−メチルプロパンスルホン酸、ポリイソプレンスルホン酸、ポリビニルカルボン酸、ポリスチレンカルボン酸、ポリアリルカルボン酸、ポリアクリルカルボン酸、ポリメタクリルカルボン酸、ポリ−２−アクリルアミド−２−メチルプロパンカルボン酸、ポリイソプレンカルボン酸、ポリアクリル酸等が挙げられる。これらの単独重合体であってもよいし、２種以上の共重合体であってもよい。
【００９８】
また、化合物内にＦ（フッ素原子）を有するポリアニオンであってもよい。具体的には、パーフルオロスルホン酸基を含有するナフィオン（Ｄｕｐｏｎｔ社製）、カルボン酸基を含有するパーフルオロ型ビニルエーテルからなるフレミオン（旭硝子社製）等を挙げることができる。
【００９９】
これらのうち、スルホン酸を有する化合物であると、インクジェット印刷方式を用いた際にインク射出安定性が特に良好であり、かつ高い導電性が得られることから、より好ましい。
【０１００】
さらに、これらの中でも、ポリスチレンスルホン酸、ポリイソプレンスルホン酸、ポリアクリル酸エチルスルホン酸、ポリアクリル酸ブチルスルホン酸が好ましい。これらのポリアニオンは、導電性に優れるという効果を奏する。
【０１０１】
ポリアニオンの重合度は、モノマー単位が１０〜１０００００個の範囲であることが好ましく、溶媒溶解性及び導電性の点からは、５０〜１００００個の範囲がより好ましい。
【０１０２】
導電性ポリマーは市販の材料も好ましく利用できる。例えば、ポリ（３，４−エチレンジオキシチオフェン）とポリスチレンスルホン酸からなる導電性ポリマー（ＰＥＤＯＴ／ＰＳＳと略す）が、Ｈ．Ｃ．Ｓｔａｒｃｋ社からＣＬＥＶＩＯＳシリーズとして、Ａｌｄｒｉｃｈ社からＰＥＤＯＴ−ＰＳＳ４８３０９５、５６０５９８として、Ｎａｇａｓｅ  Ｃｈｅｍｔｅｘ社からＤｅｎａｔｒｏｎシリーズとして市販されている。また、ポリアニリンが、日産化学社からＯＲＭＥＣＯＮシリーズとして市販されている。
【０１０３】
ライン状液体を形成する際に用いる、導電性材料を含有させる液体としては、水や、有機溶剤等の１種又は２種以上を組み合わせて用いることができる。
【０１０４】
有機溶剤は、格別限定されないが、例えば、１，２−ヘキサンジオール、２−メチル−２，４−ペンタンジオール、１，３−ブタンジオール、１，４−ブタンジオール、プロピレングリコールなどのアルコール類、ジエチレングリコールモノメチルエーテル、ジエチレングリコールモノエチルエーテル、ジエチレングリコールモノブチルエーテル、トリエチレングリコールモノメチルエーテル、ジプロピレングリコールモノメチルエーテル、ジプロピレングリコールモノエチルエーテルなどのエーテル類等を例示できる。
【０１０５】
また、導電性材料を含有させる液体には、界面活性剤など種々の添加剤を含有させてもよい。
【０１０６】
界面活性剤を用いることで、例えば、インクジェット法などの液滴吐出法を用いてライン状液体を形成するような場合などに、表面張力等を調整して吐出の安定化を図ること等が可能になる。界面活性剤としては、格別限定されないが、シリコン系界面活性剤等を用いることができる。シリコン系界面活性剤とはジメチルポリシロキサンの側鎖または末端をポリエーテル変性したものであり、例えば、信越化学工業製のＫＦ−３５１Ａ、ＫＦ−６４２やビッグケミー製のＢＹＫ３４７、ＢＹＫ３４８などが市販されている。界面活性剤の添加量は、ライン状液体２を形成する液体の全量に対して、１重量％以下であることが好ましい。
【０１０７】
液滴吐出装置から基材に吐出される液体における導電性材料の濃度範囲は、例えば、０．０１［ｗｔ％］以上０．５［ｗｔ％］以下の範囲に調整されることが好ましい。
【０１０８】
導電性パターンが形成される基材は、格別限定されず、透明なものを好ましく用いることができ、例えば、ガラス、プラスチック（ポリエチレンテレフタレート、ポリブチレンテレフタレート、ポリエチレン、ポリプロピレン、アクリル、ポリエステル、ポリアミド、ポリカーボネート等）などを挙げることができ、これらは単独で用いてもよいし、貼り合せた状態で用いてもよい。中でも、プラスチックが好ましく、ポリエチレンテレフタレートや、ポリエチレン、ポリプロピレンのようなポリオレフィンや、ポリカーボネートなどが好適である。
【０１０９】
次に、基材上に形成された平行線の例を図１１に基づいて説明する。図１１は、基材上に形成された平行線の一例を示す一部切り欠き斜視図であり、断面は、平行線の形成方向に対して直交する方向で切断した縦断面に対応する。
【０１１０】
１本のライン状液体から生成される平行線３２の１組２本の細線（線分）３１ａ、３１ｂは、必ずしも互いに完全に独立した島状である必要はない。図示したように、２本の線分３１ａ、３１ｂは、該線分３１ａ、３１ｂ間に亘って、該線分３１ａ、３１ｂの高さよりも低い高さで形成された薄膜部３１ｃによって接続された連続体として形成されることも好ましいことである。
【０１１１】
平行線３２の線分３１ａ、３１ｂの線幅Ｗ１、Ｗ２は、各々１０μｍ以下であることが好ましい。１０μｍ以下であれば、通常視認できないレベルとなるので、透明性を向上する観点からより好ましい。各線分３１ａ、３１ｂの安定性も考慮すると、各線分３１ａ、３１ｂの線幅Ｗ１、Ｗ２は、各々２μｍ以上１０μｍ以下の範囲であることが好ましい。
【０１１２】
なお、線分３１ａ、３１ｂの幅Ｗ１、Ｗ２とは、該線分３１ａ、３１ｂ間において導電性材料の厚みが最薄となる最薄部分の高さをＺとし、更に該Ｚからの線分３１ａ、３１ｂの突出高さをＹ１、Ｙ２としたときに、Ｙ１、Ｙ２の半分の高さにおける線分３１ａ、３１ｂの幅とすることができる。例えば、パターン３が上述した薄膜部３１ｃを有する場合は、該薄膜部３１ｃにおける最薄部分の高さをＺとすることができる。なお、各線分３１ａ、３１ｂ間における導電性材料の最薄部分の高さが０であるときは、線分３１ａ、３１ｂの線幅Ｗ１、Ｗ２は、基材１１表面からの線分３１ａ、３１ｂの高さＨ１、Ｈ２の半分の高さにおける線分３１ａ、３１ｂの幅とすることができる。
【０１１３】
平行線３２を構成する線分３１ａ、３１ｂの線幅Ｗ１、Ｗ２は、上述した通り極めて細いものとすることができるため、断面積を確保して低抵抗化を図る観点で、基材１１表面からの線分３１ａ、３１ｂの高さＨ１、Ｈ２は高い方が望ましい。具体的には、線分３１ａ、３１ｂの高さＨ１、Ｈ２は、５０ｎｍ以上５μｍ以下の範囲であることが好ましい。
【０１１４】
更に、平行線３２の安定性を向上する観点から、Ｈ１／Ｗ１比、Ｈ２／Ｗ２比は、各々０．０１以上１以下の範囲であることが好ましい。
【０１１５】
また、平行線３２の細線化を更に向上する観点から、線分３１ａ、３１ｂ間において導電性材料の厚みが最薄となる最薄部分の高さＺ、具体的には薄膜部３１ｃの最薄部分の高さＺが１０ｎｍ以下の範囲であることが好ましい。最も好ましいのは、透明性と安定性のバランスの両立を図るために、０＜Ｚ≦１０ｎｍの範囲で、薄膜部３１ｃを備えることである。
【０１１６】
更に、平行線３２の更なる細線化向上のために、Ｈ１／Ｚ比、Ｈ２／Ｚ比は、各々５以上であることが好ましく、１０以上であることがより好ましく、２０以上であることが特に好ましい。
【０１１７】
線分３１ａ、３１ｂの配置間隔Ｉの範囲は、格別限定されず、ライン状液体の形成幅の設定により適宜設定することができる。例えば、配置間隔Ｉを、例えば、５０μｍ以上、１００μｍ以上、２００μｍ以上、３００μｍ以上、４００μｍ以上、更には５００μｍ以上という大きい値に設定することも好ましい。透明導電膜等を形成する場合などにおいては、配置間隔Ｉは、例えば、１００μｍ以上〜１０００μｍ以下の範囲とすることが好ましく、１００μｍ以上〜５００μｍ以下の範囲とすることが更に好ましい。
【０１１８】
なお、線分３１ａ、３１ｂの配置間隔Ｉとは、線分３１ａ、３１ｂの各最大突出部間の距離とすることができる。
【０１１９】
更にまた、線分３１ａと線分３１ｂとに同様の形状（同程度の断面積）を付与することが好ましく、具体的には、線分３１ａと線分３１ｂの高さＨ１とＨ２とを実質的に等しい値とすることが好ましい。これと同様に、線分３１ａと線分３１ｂの線幅Ｗ１とＷ２とについても実質的に等しい値とすることが好ましい。
【０１２０】
線分３１ａ、３１ｂは、必ずしも平行である必要性はなく、少なくとも線分方向のある長さＪに亘って、線分３１ａ、３１ｂが結合していなければ良い。好ましくは、少なくとも線分方向のある長さＪに亘って、線分３１ａ、３１ｂが実質的に平行であることである。
【０１２１】
線分３１ａ、３１ｂの線分方向の長さＪは、線分３１ａ、３１ｂの配置間隔Ｉの５倍以上であることが好ましく、１０倍以上であることがより好ましい。長さＪ及び配置間隔Ｉは、パターン（ライン状液体）２の形成長さ及び形成幅に対応して設定することができる。
【０１２２】
また、線分３１ａ、３１ｂは、その線幅Ｗ１、Ｗ２がほぼ等しく、且つ、線幅Ｗ１、Ｗ２が２本線間距離（配置間隔Ｉ）に比して、十分に細いものであることが好ましい。
【０１２３】
更に、１本のライン状液体から生成されるパターン３を構成する線分３１ａと線分３１ｂとは、同時に形成されたものであることが好ましい。
【０１２４】
平行線３２は、各線分３１ａ、３１ｂが、下記（ア）〜（ウ）の条件を全て満たすことが特に好ましい。これにより、パターンが視認されにくくなり、透明性を向上できると共に、線分が安定化され、パターンの抵抗値を低下できる効果に優れる。
【０１２５】
（ア）各線分３１ａ、３１ｂの高さをＨ１、Ｈ２とし、該各線分間における最薄部分の高さをＺとしたときに、５≦Ｈ１／Ｚ、且つ５≦Ｈ２／Ｚであること。
（イ）各線分３１ａ、３１ｂの幅をＷ１、Ｗ２としたときに、Ｗ１≦１０μｍ、且つＷ２≦１０μｍであること。
（ウ）各線分３１ａ、３１ｂの高さをＨ１、Ｈ２としたときに、５０ｎｍ＜Ｈ１＜５μｍ、且つ５０ｎｍ＜Ｈ２＜５μｍであること。
【０１２６】
例えば上述したコーヒーステイン現象等を利用することにより、上述したような条件を満たす平行線を好適に形成することができる。
【０１２７】
線分３１ａ、３１ｂの一端側又は両端側の端部では、上述したように線分３１ａ、３１ｂが接続部（図１１中、不図示）によって接続される。かかる接続部は、線分３１ａ、３１ｂを曲線的に延長させてなる部位ということもできる。
【０１２８】
以上の説明では、導電部３を構成する平行線３２が、絶縁部４の長手方向に対して傾斜する方向に設けられる場合について示したが、これに限定されるものではない。例えば、導電部３を構成する平行線３２は、絶縁部４の長手方向に対して直交する方向に設けられることも好ましいことである。以下に、導電部の構成例を図１２に基づいて説明する。図１２は、導電部の構成例を概念的に説明する平面図である。
【０１２９】
導電部の構成例としては、図１２（ａ）に示すように、複数組の平行線パターン３２を、絶縁部の長手方向に対して直交するストライプ状に配置して、導電部３を構成した例、図１２（ｂ）に示すように、複数組の平行線パターン３２を、絶縁部の長手方向に対して直交する格子状に配置して、導電部３を構成した例がある。
【０１３０】
上記した何れの例においても、導電部３が絶縁部４と接する端部に、平行線３２を構成する２本１組の細線の端部同士を円弧状に接続する接続部を有することにより、導電部３に隣接して設けられる絶縁部４の骨見えを容易に抑制できる効果が得られる。
【０１３１】
複数の平行線によるストライプ状のパターンにより導電部を形成する場合、該導電部を一つの電極として機能する観点では、例えば、１組２本の細線により構成された複数組の平行線を互いに電気的に接続するように、基材上に更なる導電性細線等の導電体を設けることも好ましいことである。一方、平行線による格子状のパターンにより導電部を形成する場合は、１方向に複数並列してなる平行線に対して交差するように設けられた平行線によって、１組２本の細線により構成された複数組の平行線を互いに電気的に接続することができる。
【０１３２】
導電性パターンには、必要に応じて焼成やメッキ等の後処理が施されることも好ましいことである。後処理は、導電部の平行線を構成する細線の導電性を向上する処理であることが好ましい。
【０１３３】
導電部にメッキを施す場合、電解メッキ、無電解メッキ等を好ましく用いることができ、特に電解メッキが好適である。
【０１３４】
次に本発明の導電性パターンの第９の実施態様を図１３に基づいて説明する。
【０１３５】
図１３に示すように、導電部３の一部を含む基材１上には、更なる絶縁部６がパターニングされている。ここで、更なる絶縁部６は、透明であることが好ましい。更なる絶縁部６を介して、該更なる絶縁部６の下に配置された導電部３が視認されることによって、更なる絶縁部６の骨見えを抑制することができる。図示するように、平行線３２に付与された接続部３３を被覆するように更なる絶縁部６を設けることも好ましいことである。
【０１３６】
また、図示するように、更なる絶縁部６を、絶縁部４の一部又は全部（図示の例では全部）と重なるように設けることも好ましい。これにより、絶縁部の範囲を拡張することができ、当該絶縁部に配線を敷く際などに有利になる。他の態様において、更なる絶縁部６は、絶縁部４とは異なる位置に設けてもよい。
【０１３７】
更なる絶縁部６は、例えば、導電部３の一部を含む基材１上に、インクジェット法により更なる絶縁部６をパターニングすることにより形成することができる。
【０１３８】
また、更なる絶縁部６によって被覆されていない導電部３にメッキ処理を施すことも好ましいことである。更なる絶縁部６が、メッキ処理により厚みを増す前の導電部３上に形成されていることにより、該更なる絶縁部６の導電部３に対する密着を安定化できる。
【０１３９】
以上に説明した導電性パターンの用途は格別限定されないが、タッチパネルや液晶表示装置等に特に好適に用いることができる。導電性パターンを構成する各々の導電部によって、例えば、タッチパネルや液晶表示装置等を構成するマトリックス電極等におけるＸ電極又はＹ電極などの電極を好適に構成することができる。
【０１４０】
以上の説明において、一つの態様について説明された構成は、他の態様に適宜適用することができる。
【実施例】
【０１４１】
以下に、本発明の実施例について説明するが、本発明はかかる実施例により限定されない。【０１４２】
（実施例１）
＜インクの調製＞
インク（機能性材料を含む液体）として、以下の組成のものを調製した。
・銀ナノ粒子（平均粒子径：２０ｎｍ）：０．０５４ｗｔ％
・界面活性剤（ビッグケミー社製「ＢＹＫ３４８」）：０．０５ｗｔ％
・ジエチレングリコールモノブチルエーテル（略称：ＤＥＧＢＥ）（分散媒）：２０ｗｔ％
・水（分散媒）：残量【０１４３】
＜パターン形成＞
クリアハードコート層付きのＰＥＴ（ポリエチレンテレフタレート）基材を５０℃に保持し、クリアハードコート層表面に対してインクジェットヘッド（コニカミノルタ社製「ＫＭ５１２Ｌ」；標準液滴量４２ｐｌ）を走査させて上記インクを吐出し、クリアハードコート層上に複数のライン状液体を形成した。絶縁部に対応する領域には、ライン状液体を形成しないようにした。
複数のライン状液体の各々（１本）は、乾燥する過程で１組の平行線（銀細線）になった。これら銀細線の端部同士は、平行線の生成と同時に生成された銀細線からなる接続部により円弧状に接続された。
このようにして、図２に示したような導電性パターンを形成した。この導電性パターンは、具体的には下記の条件で形成された。
・平行線を構成する細線間のピッチ（距離）：１７０μｍ
・絶縁部の帯幅Ｂ：２９μｍ
・色相・・・導電部：Ｌ値８４．７６、ａ値０．１７、ｂ値−３．１５
絶縁部：Ｌ値８８．５１、ａ値０．５３、ｂ値−４．２４
・導電部と絶縁部の色差（ΔＥａｂ）：７．６９
・屈折率・・・導電部：１．５８、絶縁部：１．６１
色相はＸ−ｒｉｔｅ社製「ＳＰ−６０」で測定した値であり、屈折率は島津社製「ＫＰＲ−３０」で測定した値である。【０１４４】
得られた導電性パターンの光学顕微鏡写真を図１４に示した。【０１４５】
＜評価＞
得られた導電性パターンを１０人で目視観察したところ、７人が絶縁部を視認できないと評価した。【０１４６】
（実施例２）
実施例１で形成された導電性パターンに対して更にインクジェットヘッド（コニカミノルタ社製「ＫＭ５１２Ｌ」；標準液滴量４２ｐｌ）を走査させて、前記導電性パターンの導電部を構成する複数の平行線と９０°で交差するように、複数のライン状液体を描画した。これらのライン状液体の各々は、乾燥させることにより、縁に銀ナノ粒子が堆積され、平行線になった。即ち、実施例１で形成された複数の平行線上に、これらと交差する更なる平行線を形成し、全体として格子状パターンを呈する導電性パターンを形成した。
このようにして、図６に示したような導電性パターンを形成した。
この導電性パターンは、具体的には下記の条件で形成された。
・平行線を構成する細線間のピッチ：１７０μｍ
・絶縁部の帯幅Ｂ：２９μｍ
・色相・・・導電部：Ｌ値８４．７６、ａ値０．１７、ｂ値−３．１５
絶縁部：Ｌ値８８．５１、ａ値０．５３、ｂ値−４．２４
・導電部と絶縁部の色差（ΔＥａｂ）：７．６９
・屈折率・・・導電部：１．５８、絶縁部：１．６１【０１４７】
＜評価＞
得られた導電性パターンを１０人で目視観察したところ、７人が絶縁部を視認できないと評価した。【０１４８】
（実施例３）
実施例１において、ライン状液体を形成する際のインクの付与量を調整して、細線間のピッチが１６０μｍである平行線と、細線間のピッチが１７０μｍである平行線とがランダムに並設された導電部を形成した。
このようにして、図３に示したような導電性パターンを形成した。即ち、径が１６０μｍである円弧状の接続部と、径が１７０μｍである円弧状の接続部とが、導電部３が絶縁部４と接する端部に沿ってランダムに配置された導電性パターンを形成した。
この導電性パターンは、具体的には下記の条件で形成された。
・平行線を構成する細線間のピッチ：１６０μｍ、１７０μｍ
・絶縁部の帯幅Ｂ：２９μｍ
・色相・・・導電部：Ｌ値８５．１０、ａ値０．２３、ｂ値−３．３１
絶縁部：Ｌ値８８．５１、ａ値０．５３、ｂ値−４．２４
・導電部と絶縁部の色差（ΔＥａｂ）：６．２９
・屈折率・・・導電部：１．５９、絶縁部：１．６１【０１４９】
＜評価＞
得られた導電性パターンを１０人で目視観察したところ、８人が絶縁部を視認できないと評価した。【０１５０】
（実施例４）
実施例１において、インクジェットヘッドを帯幅６００μｍの絶縁部に対応する領域に対して走査させる際に、絶縁部の両側の導電部から５０μｍ離間する領域に複数のライン状液体を断片的に形成した。断片的に形成されたライン状液体の各々は、乾燥する過程で中空楕円状のダミー導電性パターンになった。
このようにして、図４に示したような導電性パターンを形成した。即ち、絶縁部にダミー導電性パターンを有する導電性パターンを形成した。
この導電性パターンは、具体的には下記の条件で形成された。
・平行線を構成する細線間のピッチ：１７０μｍ
・絶縁部の帯幅Ｂ：６００μｍ
・色相・・・導電部：Ｌ値８４．７６、ａ値０．１７、ｂ値−３．１５
絶縁部（ダミー導電性パターン含む）：Ｌ値８５．９０、ａ値０．３６、ｂ値−３．６０
・導電部と絶縁部の色差（ΔＥａｂ）：０．７７
・屈折率・・・導電部：１．５８、絶縁部（ダミー導電性パターン含む）：１．５９【０１５１】
得られた導電性パターンの光学顕微鏡写真を図１５に示した。【０１５２】
＜評価＞
得られた導電性パターンを１０人で目視観察したところ、８人が絶縁部を視認できないと評価した。【０１５３】
（実施例５）
実施例１において、ライン状液体の形成長さを１本ごとに調整して、各々の導電部が、非接触状態で互いに噛み合うように配置されるようにした。具体的には、各々の導電部を構成する互いに並列された平行線が、１つの平行線おきに、絶縁部側に突出するようにし、各々の導電部の突出する平行線同士を非接触状態で互いに噛み合うように配置した。
このようにして、図７に示したような導電性パターンを形成した。即ち、非直線形状の絶縁部を有する導電性パターンを形成した。この絶縁部は、所定の蛇行パターンを周期的に繰り返した形状を有している。
この導電性パターンは、具体的には下記の条件で形成された。
・平行線を構成する細線間のピッチ：１７０μｍ
・絶縁部の帯幅Ｂ：７２μｍ
・絶縁部の蛇行の振幅Ａ：１ｍｍ
・色相・・・導電部：Ｌ値８４．７６、ａ値０．１７、ｂ値−３．１５
絶縁部：Ｌ値８８．５１、ａ値０．５３、ｂ値−４．２４
・導電部と絶縁部の色差（ΔＥａｂ）：７．６９
・屈折率・・・導電部：１．５８、絶縁部：１．６１【０１５４】
得られた導電性パターンの光学顕微鏡写真を図１６に示した。【０１５５】
＜評価＞
得られた導電性パターンを１０人で目視観察したところ、９人が絶縁部を視認できないと評価した。【０１５６】
（実施例６）
実施例６において、ライン状液体の形成長さを調整し、図８に示したような導電性パターンを形成した。即ち、非直線形状の絶縁部を有する導電性パターンを形成した。この絶縁部は、周期性を有さない蛇行形状を有している。
この導電性パターンは、具体的には下記の条件で形成された。
・平行線を構成する細線間のピッチ：１７０μｍ
・絶縁部の帯幅Ｂ：７２μｍ
・絶縁部の蛇行の振幅Ａ：５００μｍ
・色相・・・導電部：Ｌ値８４．７６、ａ値０．１７、ｂ値−３．１５
絶縁部：Ｌ値８８．５１、ａ値０．５３、ｂ値−４．２４
・導電部と絶縁部の色差（ΔＥａｂ）：７．６９
・屈折率・・・導電部：１．５８、絶縁部：１．６１【０１５７】
得られた導電性パターンの光学顕微鏡写真を図１７に示した。【０１５８】
＜評価＞
得られた導電性パターンを１０人で目視観察したところ、１０人が絶縁部を視認できないと評価した。【０１５９】
（実施例７）
実施例１において、ライン状液体の端部に付与する液滴量を、中央部（通常部）の１．５倍に設定した。
このようにして、図１０に示したような導電性パターンを形成した。即ち、平行線を構成する細線間のピッチよりも、当該平行線に付与される円弧状の接続部の径を大きく設けた。
この導電性パターンは、具体的には下記の条件で形成された。
・平行線を構成する細線間のピッチ：１７０μｍ
・絶縁部の帯幅Ｂ：６０μｍ
・色相・・・導電部：Ｌ値８４．７６、ａ値０．１７、ｂ値−３．１５
絶縁部：Ｌ値８８．５１、ａ値０．５３、ｂ値−４．２４
・導電部と絶縁部の色差（ΔＥａｂ）：７．６９
・屈折率・・・導電部：１．５８、絶縁部：１．６１【０１６０】
得られた導電性パターンの光学顕微鏡写真を図１８に示した。【０１６１】
＜評価＞
得られた導電性パターンを１０人で目視観察したところ、７人が絶縁部を視認できないと評価した。【０１６２】
（実施例８）
実施例１において、絶縁部の帯幅を１００μｍに調整し、該絶縁部に対して、導電部と屈折率、色相が同等のパターンを形成可能なインク（薄い黒色染料含有インク）をダミーインクとして塗布した。
このようにして、図４に示したような導電性パターンを形成した。即ち、絶縁部４には、導電部と屈折率、色相が同等のダミーパターンが形成されている。ダミーパターンは、導電部を構成する平行線の延長線上に配置した。
この導電性パターンは、具体的には下記の条件で形成された。
・平行線を構成する細線間のピッチ：１７０μｍ
・絶縁部の帯幅Ｂ：１００μｍ
・色相・・・導電部：Ｌ値８４．７６、ａ値０．１７、ｂ値−３．１５
絶縁部（ダミー導電性パターン含む）：Ｌ値８５．８１、ａ値０．２１、ｂ値−３．３０
・導電部と絶縁部の色差（ΔＥａｂ）：０．５６
・屈折率・・・導電部：１．５８、絶縁部（ダミー導電性パターン含む）：１．５９【０１６３】
得られた導電性パターンの光学顕微鏡写真を図１９に示した。【０１６４】
＜評価＞
得られた導電性パターンを１０人で目視観察したところ、７人が絶縁部を視認できないと評価した。【０１６５】
なお、図１４〜図１９に示した光学顕微鏡写真において、黒で示される線は、絶縁部の位置を示すために便宜上付加された補助線であり、実際の導電性パターンに形成されたものではない。
【符号の説明】
【０１６６】
１：基材
２：導電性パターン
３：導電部
３１ａ、３１ｂ：細線（線分）
３２：平行線
３３、３３α、３３β：接続部
４：絶縁部
４１：ダミーパターン
４２：ダミー導電性パターン
５：ライン状液体
５１ａ、５１ｂ：長さ方向に沿う縁
５１ｃ：中央部
５１ｄ：端部の縁
６：更なる絶縁部
【図１】
2016148036.tif 000003
【図２】
2016148036.tif 000004
【図３】
2016148036.tif 000005
【図４】
2016148036.tif 000006
【図５】
2016148036.tif 000007
【図６】
2016148036.tif 000008
【図７】
2016148036.tif 000009
【図８】
2016148036.tif 000010
【図９】
2016148036.tif 000011
【図１０】
2016148036.tif 000012
【図１１】
2016148036.tif 000013
【図１２】
2016148036.tif 000014
【図１３】
2016148036.tif 000015
【図１４】
2016148036.tif 000016
【図１５】
2016148036.tif 000017
【図１６】
2016148036.tif 000018
【図１７】
2016148036.tif 000019
【図１８】
2016148036.tif 000020
【図１９】
2016148036.tif 000021
【国際調査報告】
2016148036.tif 000022
2016148036.tif 000023
2016148036.tif 000024
2016148036.tif 000025